(57)【要約】      （修正有）【課題】録音した音声を永続的に保存可能な音声再生装置を提供する。【解決手段】絵本に取り付け自在な録音機能付き音声再生装置１００であって、筐体に設けられた再生スイッチ１０と、筐体に設けられた録音スイッチと、筐体に設けられた上書き禁止スイッチと、筐体内に設けられ、録音スイッチの操作に基づき音声を録音する録音手段と、筐体内に設けられ、録音手段によって録音された音声を記憶するメモリと、筐体内に設けられ、再生スイッチの操作に基づきメモリに記憶された音声を再生するスピーカーとを備え、上書き禁止スイッチの操作に基づき録音手段が再度録音できなくなる機能を有する。【選択図】図１
2019064210.tif 000002
【特許請求の範囲】
【請求項１】
絵本に取り付け自在な録音機能付き音声再生装置であって、
前記筐体に設けられた再生スイッチと、
前記筐体に設けられた録音スイッチと、
前記筐体に設けられた上書き禁止スイッチと、
前記筐体内に設けられ、前記録音スイッチの操作に基づき音声を録音する録音手段と、
前記筐体内に設けられ、前記録音手段によって録音された前記音声を記憶する記憶手段と、
前記筐体内に設けられ、前記再生スイッチの操作に基づき前記記憶手段に記憶された音声を再生する再生手段とを備え、
前記上書き禁止スイッチの操作に基づき前記録音手段が再度録音できなくなることを特徴とする音声再生装置。
【請求項２】
請求項１に記載の音声再生装置であって、
前記筐体が、略直角二等辺三角形であることを特徴とする音声再生装置。
【請求項３】
請求項１または請求項２に記載の音声再生装置を備える絵本。
【発明の詳細な説明】
【技術分野】
【０００１】
本発明は、音声再生装置または、音声再生装置を備える絵本に関する。
【背景技術】
【０００２】
母親や父親の声は、子どもの成長にとって重要である。特に、絵本の読み聞かせは、子どもの興味や、情緒的や、言語能力などを発達させ、また子供の気持ちを落ち着かせる効果がある。
【０００３】
しかし、スピードが高まる現代社会において親が読み聞かせを行う時間をなかなか取ることができない。このため、事前に音声が録音されている絵本が提供されている。
【先行技術文献】
【特許文献】
【０００４】
【特許文献１】特開２００１ー５４６８６号
【発明の概要】
【発明が解決しようとする課題】
【０００５】
しかしながら、第三者が録音した声よりも親の声のほうが子どもにとって安心感などが高まる。このため、親の声を録音可能な絵本も提供されている（特許文献１）が、操作ミスなどで録音した音声が失われてしまうこともある。
【０００６】
本発明は、上述した課題を解決するために、録音した音声を永続的に保存可能な音声再生装置を提供することを目的とする。
【課題を解決するための手段】
【０００７】
絵本に取り付け自在な録音機能付き音声再生装置であって、
前記筐体に設けられた再生スイッチと、
前記筐体に設けられた録音スイッチと、
前記筐体に設けられた上書き禁止スイッチと、
前記筐体内に設けられ、前記録音スイッチの操作に基づき音声を録音する録音手段と、
前記筐体内に設けられ、前記録音手段によって録音された前記音声を記憶する記憶手段と、
前記筐体内に設けられ、前記再生スイッチの操作に基づき前記記憶手段に記憶された音声を再生する再生手段とを備え、
前記上書き禁止スイッチの操作に基づき前記録音手段が再度録音できなくなることを特徴とする音声再生装置。
【０００８】
上書き禁止スイッチの操作に基いて録音手段が再度音声を録音できなくなるため、一度録音した親の音声を半永続的に保存することができる。このため、子どもは親の声をいつでも再生できる。また、子どもが成長し、親と離れることがあっても、親の声読まれた絵本を楽しむことが可能になる。
【０００９】
さらに、親などの肉声が吹き込むことにより、半完成品を完成品にするため、親やその地域や民族の方言やイントネーションを残すことが可能になる。
【００１０】
請求項１に記載の音声再生装置であって、
前記筐体が、略直角二等辺三角形であることを特徴とする音声再生装置。
【００１１】
筐体の形が略直角二等辺三角形のため、右開きの絵本でも左開きの絵本にも容易に取り付けることが可能になる。このため、金型が一種類ですみ、また、大量生産が可能になるため、製造コストを低くすることが可能になる。
【００１２】
請求項１または請求項２に記載の音声再生装置を備える絵本。
【００１３】
上書き禁止スイッチを操作して録音手段が再度音声を録音できなくなるため、一度録音した親の音声を半永続的に保存することができる絵本を提供できる。このため、子どもは親の声をいつでも再生できる。また、子どもが成長し、親と離れることがあっても、親の声読まれた絵本を楽しむことが可能になる。
【図面の簡単な説明】
【００１４】
【図１】本発明の第１実施形態にかかる音声再生装置を説明する説明図である。
【図２】本発明の第１実施形態にかかる音声再生装置を説明する説明図である。
【図３】本発明の第１実施形態にかかる音声再生装置を説明する説明図である。
【図４】本発明の第２実施形態にかかる音声再生装置を説明する説明図である。
【図５】本発明の第２実施形態にかかる音声再生装置を説明する説明図である。
【図６】本発明の第２実施形態にかかる音声再生装置を説明する説明図である。
【図７】本発明の第３実施形態にかかる音声再生装置を説明する説明図である。
【図８】本発明の第３実施形態にかかる音声再生装置を説明する説明図である。
【図９】本発明の第３実施形態にかかる音声再生装置を説明する説明図である。
【発明を実施するための最良の形態】
【００１５】
図１は、本発明の第１実施形態にかかる音声再生装置の正面図である。図１に示すように、音声再生装置１００は、略直角二等辺三角形の形状をしている。また、上部にスピーカー部４０、再生スイッチ１０、電源スイッチ２０、電源カバー３０が設けられている。再生スイッチ１０を押すことで、録音された音声が再生される。なお、再生スイッチは、子供の人差し指で押しても、誤作動し難い大きさを考慮し、１０ミリメートル前後のサイズにしてもよい。さらに、スイッチの機能を表す印を凸の成型で表し、目の不自由な方も触れば判るように設けてもよい。このように、再生スイッチ１０は、筐体に設けられた再生スイッチの一例である。
【００１６】
また、電源カバー３０は、幼児が簡単に電池を取り出せないように、例えば、ねじ止めなど電池交換には道具を必要とする方法にしてもよい。また、外部に接する所は、子どもが舐めても安全なように、樹脂製にし、彩色やシールは最小限にしてもよい。
【００１７】
図２は、本発明の第１実施形態にかかる音声再生装置の電源カバー３０を外した正面図である。図２に示すように、音声再生装置１００は、電源カバー３０の下に録音スイッチ６０と、録音ロックスイッチ７０と、マイクユニット８０と、電池ユニット９０が設けられている。母親など読み手が録音スイッチ６０を押すと録音が開始される。例えば、絵本を読むときに、録音スイッチ６０を押し、その後音読することで、肉声を録音できる。また、録音に失敗した場合、再度録音スイッチ６０を押すことで録音をやり直すことできる。そして、話し手が満足できる音声を録音した後に、録音ロックスイッチ７０を押す。録音ロックスイッチ７０を押すと、録音スイッチ６０を押したとしても、録音することができなくなり、一度録音した親の音声を半永続的に保存することができる。録音スイッチ６０や録音ロックスイッチ７０やマイクユニット８０は録音が終わった後に、誤操作を防止するべく外部に露出しないように電池カバー３０の下に配置した。録音ロックスイッチ７０は、指先で押しても作動しない大きさや、また、道具を使っても誤作動しにくい大きさを考慮して穴径を２．５ミリメートル位に設けてもよい。録音ロックスイッチは、操作することによって、その後音声の上書きを禁止できるものであれば、どのようなものでもよいが、例えば、録音ロックスイッチは、録音ロックスイッチを押すことによって、録音回路のみ遮断され、それ以降録音ができなくなる構造であってもよい。このように、録音スイッチ６０は、筐体に設けられた録音スイッチの一例である。また、このように、録音ロックスイッチ７０は、筐体に設けられた上書き禁止スイッチの一例である。また、このように、マイクユニット８０は、筐体内に設けられ、前記録音スイッチの操作に基づき音声を録音する録音手段の一例である。また、このように、マイクユニット８０は、筐体内に設けられ、前記録音手段によって録音された前記音声を記憶する記憶手段の一例である。また、スピーカー部４０は、筐体内に設けられ、再生スイッチの操作に基づき記憶手段に記憶された音声を再生する再生手段の一例である。また、音声再生装置１００は、上書き禁止スイッチの操作に基づき前記録音手段が再度録音できなくなる音声再生装置の一例である。
【００１８】
図３は、本発明の第１実施形態にかかる音声再生装置の分解図である。図３に示すように、略直角二等辺三角形の直角側にスピーカー部４０を配置し、斜辺に電池ユニット９０を配置することで、空間を有効活用し、小型でかつ十分な機能を得ることができる。第１実施形態音声再生装置は、略直角二等辺三角形のため、右開きの絵本にも左開きの絵本に対応できる。これによって、縦書きの文化圏でも横書きの文化圏でも対応可能になり、様々な国で使用できる。なお、略直角二等辺三角形の斜辺の長さは、好ましくは、１６０ミリメートル以下、さらに好ましくは、１５２．３２ミリメートル以下であってもよい。このような長さにすることによって、単三電池を直列に配置しつつも、コンパクトな音声再生装置を製造できる。
【００１９】
また、他の２辺の長さは、好ましくは１１０ミリメートル以下、さらに好ましくは１０７ミリメートル以下であってもよい。これによって、スピーカーやボタンの配置スペースを確保しつつ、コンパクトな音声再生装置を製造できる。また、スピーカーの大きさは、好ましくは、直径４０ミリメートルから２０ミリメートル、さらに、好ましくは直径３２ミリメートルであってもよい。これによって、十分な音質を提供可能でかつコンパクトな音声再生装置を提供できる。
【００２０】
さらに、絵本部分が台形となるため、デッドスペースが減って、絵を描くスペースを多くとることができる。また、台形の場合絵本の角に音声再生装置を取り付けるため、判型（例えば、Ａ４，Ａ５，Ｂ４など）を変更しても、同じ大きさの音声再生装置を使用することができ、音声再生装置の製造コストを低減できる。このように、多様な表現を生かした絵本を作成することができる。
【００２１】
図４は、本発明の第２実施形態にかかる音声再生装置の正面図である。図２に示すように、音声再生装置２００は、略長方形の形状をしている。また、上部にスピーカー部２４０、再生スイッチ２１０、電源スイッチ２２０、電源カバー２３０が設けられている。再生スイッチ２１０を押すことで、録音された音声が再生される。なお、再生スイッチは、子供の人差し指で押しても、誤作動し難い大きさを考慮し、１０ミリメートル前後のサイズにしてもよい。さらに、スイッチの機能を表す印を凸の成型で表し、目の不自由な方も触れば判るように設けてもよい。
【００２２】
図５は、本発明の第２実施形態にかかる音声再生装置の電源カバーを外した正面図である。図５に示すように、音声再生装置は、電源カバー２３０の下に録音スイッチ２６０と、録音ロックスイッチ２７０と、マイクユニット２８０と、電池ユニット２９０が設けられている。録音スイッチ２６０や録音ロックスイッチは録音が終わった後に外部に出ない様にする為、電池カバー２３０の下に配置した。録音ロックスイッチ２６０は、指先で押しても作動しない大きさや、また、道具を使っても誤作動しにくい大きさを考慮して穴径を２．５ミリメートル位に設けてもよい。また、図６は、本発明の第２実施形態にかかる音声再生装置の分解図である。このように、第２形態は、略長方形のため、既存の音声付の絵本に取り付け可能のため、既存のコンテンツを生かすことができる。
【００２３】
図７から図９は、本発明の第３実施形態にかかる音声再生装置の図である。第３実施形態は、電池ユニット３９０に３つの乾電池を挿入できる点が第２実施形態と異なる。電池の数が多いため、長期間作動することができ、電池交換の手間を減らすことができる。
【符号の説明】
【００２４】
１０・・・再生スイッチ
２０・・・電源スイッチ
３０・・・電源カバー
４０・・・スピーカー部
６０・・・録音スイッチ
７０・・・録音ロックスイッチ
８０・・・マイクユニット
９０・・・電源ユニット
１００・・・音声再生装置
２００・・・音声再生装置
２１０・・・再生スイッチ
２２０・・・電源スイッチ
２３０・・・電源カバー
２４０・・・スピーカー部
２６０・・・録音スイッチ
２７０・・・録音ロックスイッチ
２８０・・・マイクユニット
２９０・・・電源ユニット
３００・・・音声再生装置
３１０・・・再生スイッチ
３２０・・・電源スイッチ
３３０・・・電源カバー
３４０・・・スピーカー部
３６０・・・録音スイッチ
３７０・・・録音ロックスイッチ
３８０・・・マイクユニット
３９０・・・電源ユニット
【図１】
2019064210.tif 000003
【図２】
2019064210.tif 000004
【図３】
2019064210.tif 000005
【図４】
2019064210.tif 000006
【図５】
2019064210.tif 000007
【図６】
2019064210.tif 000008
【図７】
2019064210.tif 000009
【図８】
2019064210.tif 000010
【図９】
2019064210.tif 000011